(57)【要約】【目的】  バック玉防止部材を備えた弾球遊技機において、遊技玉がバック玉防止部材を通過するのに伴うノイズの発生を防止することができる弾球遊技機を提供する。【解決手段】  バック玉防止部材３２は、導電性を有する弾性薄片８３を備え、該弾性薄片８３と外レール３０とを導電性を有する弾性薄片８３で電気的に接続したことを特徴とする。このように構成することにより、バック玉防止部材３２の弾性薄片８３と外レール３０を同電位にすることができるので、遊技玉が外レール３０を通った後に弾性薄片８３を通過する際のノイズ発生を防止することができ、ひいてはノイズ発生に伴う制御回路基板（遊技制御基板など）の誤動作を防止することができる。【選択図】        図５
2011083641.tif 000002
【特許請求の範囲】
【請求項１】
遊技盤に形成された遊技領域に遊技玉を発射するための発射レールと、該発射レールから発射された遊技玉を前記遊技領域へ誘導するための外レールと、該外レールと共に前記遊技領域を形成する内レールと、一旦前記遊技領域に侵入した玉が跳ね返りによって再度発射位置方向へ戻るバック玉を防止するためのバック玉防止部材と、を備えた弾球遊技機において、
前記バック玉防止部材は、導電性を有する玉接触部を備え、該玉接触部と前記外レールとを導電性を有する外レール導電部材で電気的に接続したことを特徴とする弾球遊技機。
【発明の詳細な説明】
【技術分野】
【０００１】
本発明は、遊技盤に形成された遊技領域に遊技玉を発射するための発射レールと、該発射レールから発射された遊技玉を前記遊技領域へ誘導するための外レールと、該外レールと共に前記遊技領域を形成する内レールと、一旦前記遊技領域に侵入した玉が跳ね返りによって再度発射位置方向へ戻るバック玉を防止するためのバック玉防止部材と、を備えた弾球遊技機に関するものである。
【背景技術】
【０００２】
従来、弾球遊技機の遊技盤の表面には、円形うず巻き状に誘導レール（外レールと内レールとからなる）が取り付けられ、該誘導レールの内側が遊技領域とされて発射された打玉が落下するようになっていた。誘導レールに送り込まれる打玉は、発射レール上の遊技玉を打球発射装置で弾発することによって誘導レールに送り込まれていた。また、誘導レールの先端部分には、一旦遊技領域に打ち込まれた玉が跳ね返りによって再度誘導レールに入り込むのを防止するためのバック玉防止部材が設けられていた。
【発明の概要】
【発明が解決しようとする課題】
【０００３】
ところで、上記従来の誘導レール（外レール、内レール）、発射レール、及びバック玉防止部材の構成では、取り分けバック玉防止部材の電位を誘導レールあるいは発射レールと同電位に設定する構成とはなっていなかった。このため、遊技玉の発射時、帯電した遊技玉が発射レール乃至誘導レールを通った後にバック玉防止部材を通過することで静電気によるノイズが発生していた。また、このようなノイズの発生により、遊技動作を制御する遊技制御回路基板等の制御回路基板が誤動作する虞があった。本発明は、上記した事情に鑑みなされたもので、その目的とするところは、バック玉防止部材を備えた弾球遊技機において、遊技玉がバック玉防止部材を通過するのに伴うノイズの発生を防止することができる弾球遊技機を提供することにある。
【課題を解決するための手段】
【０００４】
上記目的を達成するために、請求項１の発明においては、遊技盤に形成された遊技領域に遊技玉を発射するための発射レールと、該発射レールから発射された遊技玉を前記遊技領域へ誘導するための外レールと、該外レールと共に前記遊技領域を形成する内レールと、一旦前記遊技領域に侵入した玉が跳ね返りによって再度発射位置方向へ戻るバック玉を防止するためのバック玉防止部材と、を備えた弾球遊技機において、前記バック玉防止部材は、導電性を有する玉接触部を備え、該玉接触部と前記外レールとを導電性を有する外レール導電部材で電気的に接続したことを特徴とする。このように構成することにより、バック玉防止部材の玉接触部と外レールを同電位にすることができるので、遊技玉が外レールを通った後に玉接触部を通過する際のノイズ発生を防止することができ、ひいてはノイズ発生に伴う制御回路基板の誤動作を防止することができる。
【０００５】
また、前記玉接触部と前記内レールとを導電性を有する内レール導電部材で電気的に接続したことを特徴とする。このように構成することにより、玉接触部と内レールも同電位にすることができるので、遊技玉が玉接触部から内レールに移る際でもノイズの発生を防止することができる。
【０００６】
また、前記外レールと前記内レールとを導電性を有する内外レール導電部材で電気的に接続すると共に、前記内外レール導電部材を前記遊技盤に設けられる導電シート部材で構成したことを特徴とする。このように構成することにより、外レールと内レールを遊技盤に取り付けるだけで簡単に外レールと内レールの電気的接続が行える。
【０００７】
また、遊技盤に形成された遊技領域に遊技玉を発射するための発射レールと、該発射レールから発射された遊技玉を誘導し、前記遊技領域を形成する誘導レールと、一旦前記遊技領域に侵入した玉が跳ね返りによって再度発射位置方向へ戻るバック玉を防止するためのバック玉防止部材と、を備えた弾球遊技機において、前記バック玉防止部材は、導電性を有する玉接触部を備え、該玉接触部と前記発射レールとを導電性を有する発射レール導電部材で電気的に接続したことを特徴とする。このように構成することにより、バック玉防止部材の玉接触部と発射レールを同電位にすることができるので、遊技玉が発射レールを通った後に玉接触部を通過する際のノイズ発生を防止することができ、ひいてはノイズ発生に伴う制御回路基板の誤動作を防止することができる。
【０００８】
また、前記玉接触部と前記誘導レールとを導電性を有する誘導レール導電部材で電気的に接続したことを特徴とする。このように構成することにより、玉接触部と誘導レールを同電位にすることができるので、発射レール、誘導レール、及びバック玉防止部材からなる一連の玉の発射経路を全て同電位にすることで、玉接触部を通過する際のノイズ発生を確実に防止することができる。
【０００９】
また、遊技盤に形成された遊技領域に侵入した玉が跳ね返りによって再度発射位置方向へ戻るバック玉を防止するためのバック玉防止部材を備えた弾球遊技機において、前記バック玉防止部材は、導電性を有する玉接触部を備え、該玉接触部を接地導電部材で接地したことを特徴とする。このように構成することにより、バック玉防止部材の玉接触部を接地するので、遊技玉が玉接触部に接触する際等に静電気が玉接触部から吸収されていくことで、ノイズ発生を防止することができ、ひいてはノイズ発生に伴う制御回路基板の誤動作を防止することができる。
【発明の効果】
【００１０】
以上、説明したところから明らかなように、請求項１の発明においては、遊技盤に形成された遊技領域に遊技玉を発射するための発射レールと、該発射レールから発射された遊技玉を前記遊技領域へ誘導するための外レールと、該外レールと共に前記遊技領域を形成する内レールと、一旦前記遊技領域に侵入した玉が跳ね返りによって再度発射位置方向へ戻るバック玉を防止するためのバック玉防止部材と、を備えた弾球遊技機において、前記バック玉防止部材は、導電性を有する玉接触部を備え、該玉接触部と前記外レールとを導電性を有する外レール導電部材で電気的に接続したことを特徴とする。このように構成することにより、バック玉防止部材の玉接触部と外レールを同電位にすることができるので、遊技玉が外レールを通った後に玉接触部を通過する際のノイズ発生を防止することができ、ひいてはノイズ発生に伴う制御回路基板の誤動作を防止することができる。
【００１１】
また、前記玉接触部と前記内レールとを導電性を有する内レール導電部材で電気的に接続したことを特徴とする。このように構成することにより、玉接触部と内レールも同電位にすることができるので、遊技玉が玉接触部から内レールに移る際でもノイズの発生を防止することができる。
【００１２】
また、前記外レールと前記内レールとを導電性を有する内外レール導電部材で電気的に接続すると共に、前記内外レール導電部材を前記遊技盤に設けられる導電シート部材で構成したことを特徴とする。このように構成することにより、外レールと内レールを遊技盤に取り付けるだけで簡単に外レールと内レールの電気的接続が行える。
【００１３】
また、遊技盤に形成された遊技領域に遊技玉を発射するための発射レールと、該発射レールから発射された遊技玉を誘導し、前記遊技領域を形成する誘導レールと、一旦前記遊技領域に侵入した玉が跳ね返りによって再度発射位置方向へ戻るバック玉を防止するためのバック玉防止部材と、を備えた弾球遊技機において、前記バック玉防止部材は、導電性を有する玉接触部を備え、該玉接触部と前記発射レールとを導電性を有する発射レール導電部材で電気的に接続したことを特徴とする。このように構成することにより、バック玉防止部材の玉接触部と発射レールを同電位にすることができるので、遊技玉が発射レールを通った後に玉接触部を通過する際のノイズ発生を防止することができ、ひいてはノイズ発生に伴う制御回路基板の誤動作を防止することができる。
【００１４】
また、前記玉接触部と前記誘導レールとを導電性を有する誘導レール導電部材で電気的に接続したことを特徴とする。このように構成することにより、玉接触部と誘導レールを同電位にすることができるので、発射レール、誘導レール、及びバック玉防止部材からなる一連の玉の発射経路を全て同電位にすることで、玉接触部を通過する際のノイズ発生を確実に防止することができる。
【００１５】
また、遊技盤に形成された遊技領域に侵入した玉が跳ね返りによって再度発射位置方向へ戻るバック玉を防止するためのバック玉防止部材を備えた弾球遊技機において、前記バック玉防止部材は、導電性を有する玉接触部を備え、該玉接触部を接地導電部材で接地したことを特徴とする。このように構成することにより、バック玉防止部材の玉接触部を接地するので、遊技玉が玉接触部に接触する際等に静電気が玉接触部から吸収されていくことで、ノイズ発生を防止することができ、ひいてはノイズ発生に伴う制御回路基板の誤動作を防止することができる。
【図面の簡単な説明】
【００１６】
【図１】実施形態に係る弾球遊技機の正面図である。
【図２】弾球遊技機の背面図である。
【図３】前面枠の正面図である。
【図４】同図（Ａ）は外レールの当接面部と金属接続片の上部当接面部との当接状態を示す縦断面図であり、同図（Ｂ）は金属接続片を介した外レールと内レールとの接続状態を示す縦断面図である。
【図５】同図（Ａ）はバック玉防止部材を遊技盤に取り付けた状態を示す正面図であり、同図（Ｂ）はバック玉防止部材だけを裏返した状態を示す正面図である。
【図６】変形例における外レールと内レールとの接続状態を示す縦断面図である。
【発明を実施するための形態】
【００１７】
以下、図面を参照して、本発明の実施形態について説明する。まず、図１及び図２を参照して弾球遊技機１の全体の構成について説明する。図１は、実施形態に係る弾球遊技機１の正面図であり、図２は、弾球遊技機１の背面図である。
【００１８】
弾球遊技機１は、縦長な方形状に枠組み形成される外枠２と、該外枠２の一側に開閉自在に軸支され且つ弾球遊技機１の主要構成部のほぼすべてが集約して設けられ、後述する遊技盤１６が収容固定される前面枠３と、該前面枠３の前面に開閉自在に設けられる前面開閉枠４とから構成されている。また、前面枠３に設けられる主要構成部としては、上記した前面開閉枠４、遊技盤１６、賞球開口６ａを備えた上皿６、灰皿８を含む下皿７、操作ハンドル９、機構板４０等がある。また、図示の実施形態では、弾球遊技機１の側方に遊技者に遊技玉を貸し出すためのユニット装置としてのカードユニット装置１１が付設されている。
【００１９】
前面開閉枠４は、後述する遊技盤１６の遊技領域２２をほぼ透視し得る円形透視窓５が開設されると共に該円形透視窓５の裏面から複層ガラス板１０が装着される透明板保持部４ａと、発射すべき打球が貯留され且つ発射位置に供給するための上皿６が取り付けられる上皿部４ｂとが合成樹脂によって一体的に形成されたものである。また、前面開閉枠４の円形透視窓５外周には、これに沿って各種ランプ２１が臨設され、前面開閉枠４の上部左右には、遊技の進行に応じた効果音を発生するスピーカ２３が設けられている。
【００２０】
カードユニット装置１１は、前記上皿６の上面に設けられる操作部（図示しない）を操作することにより作動されるものである。しかして、カードユニット装置１１は、使用可能状態であるか否かを表示する使用可能表示器１２と、当該カードユニット装置１１がいずれの側の弾球遊技機１に対応しているか否かを表示する連結台方向表示器１３と、記録媒体としての磁気カードを挿入するカード挿入口１４とが設けられている。
【００２１】
一方、弾球遊技機１の背面には、図２に示すように、入賞玉の発生に基づいて所定個数の賞球を払い出すための各種の機構を装備した機構板４０が設けられると共に、前記操作ハンドル９に対応する裏面には、ステッピングモータ２５及び打球槌（図示しない）を有する打球発射装置２４が固着されている。また、機構板４０の裏面には、主として入賞に基づく賞球を払い出すための賞球払出装置２６が取り付けられており、該賞球払出装置２６の取付位置の下方には、賞球払出装置２６から払い出された玉を前記上皿６の賞球開口６ａに導くための上皿連通口２７が形成されている。また、機構板４０の裏面には、遊技動作を制御する回路基板を収容する遊技制御基板ボックス２８が取り付けられている。
【００２２】
次に、遊技盤１６の正面構造について、図３を参照して説明する。遊技盤１６は、前面枠３の裏面側に一体的に形成される遊技盤収容リブ（図示しない）に収容固定されるべく、ほぼ正方形状の合板により形成され、その表面には、イラスト等が描かれる装飾用の化粧板１６ａ（図４（Ａ）（Ｂ）参照）が全面に敷設され、該化粧板１６ａ面上に、円形うず巻き状に誘導レール（外レール３０と内レール３１とからなる）が取り付けられ、該誘導レールの内側が遊技領域２２として形成されて発射された打玉が落下するものである。なお、後述する発射レール３９から発射された玉は、外レール３０の内側に沿って外レール３０と内レール３１で仕切られる遊技領域２２に誘導される。遊技領域２２には、図示の場合、ドラム式可変表示装置１７や可変入賞球装置１８やドラム式可変表示装置１７の可変表示を許容する始動入賞口１９が設けられると共に、単に打玉を入賞とする入賞口（符号なし）、打玉の流下方向，速度を変化せしめる風車又は多数の障害釘が設けられ、遊技領域２２の最下方には、いずれの入賞領域にも入賞しない打玉が取り込まれるアウト口２０が設けられている。また、内レール３１の左上端部分には、一旦遊技領域２２に侵入した玉が跳ね返りによって再度発射位置方向へ戻るバック玉を防止するためのバック玉防止部材３２が設けられ、内レール３１の右上端部分と外レール３０の右側端部分との繋ぎ部分には、その繋ぎ部分を装飾的に被覆するための装飾部材３３が設けられている。なお、この装飾部材３３内には玉受けゴム等を設けたりする。
【００２３】
上記した遊技盤１６を取り付ける前面枠３は、合成樹脂によって一体成型されるものであり、図３に示すように、上部の前面開閉枠４に対応する前面開閉枠対応板部３ａと、下皿７、灰皿８、及び操作ハンドル９に対応する下皿対応板部３ｂとから構成されている。前面開閉枠対応部３ａと下皿対応板部３ｂとは、僅かな段差をもって形成されており、また、前面開閉枠対応部３ａのほぼ中央には、遊技盤１６の遊技領域２２が臨む開口３４が開設されている。
【００２４】
また、前面開閉枠対応部３ａの前面側であって開口３４の周辺には、前述した各種ランプ２１を実装してなるランプ基板２１ａが取り付けられている。前面開閉枠対応板部３ａの一側上下には、連結蝶番３５を収納固定する蝶番収納凹部３６が形成されている。この連結蝶番３５は、前面開閉枠４を開閉自在に軸支するものである。前面開閉枠対応板部３ａの下方部分は、板状の支持板部３７として形成されており、その支持板部３７の前面には、誘導ボックス部材３８と発射レール３９とが取り付けられている。また、支持板部３７の一側（誘導ボックス部材３８が取り付けられる側）上部には、上皿６の賞球開口６ａと機構板４０の上皿連通口２７とを連通する上皿流出用開口２９が形成されている。
【００２５】
誘導ボックス部材３８は、前面開閉枠４を開放したときに上皿流出用開口２９から溢れ落ちる賞球が受け入れられる溢れ玉入口４１と、ファール玉口４２と、上皿６から玉抜きされた玉を受け入れる玉抜き入口４３と、を有し、それぞれの入口４１〜４３から流入してきた玉を支持板部３７に形成される排出口４４に取り込み、前面枠３の裏面下部に止着される図示しない接続樋の誘導樋部を介して下皿７に誘導するものである。
【００２６】
発射レール３９は、上皿６から供給された打玉であって図示しない玉送り部材から１個ずつ供給される打玉をその下流端の発射位置に載置し、打球発射装置２４の図示しない打球槌によって打ち出された打玉を遊技盤１６の誘導レールに導くものである。なお、支持板部３７の段部を構成する底面であって発射レール３９の下流側の対応する部位には、上記した打球槌が臨む打球槌用開口４５が形成されている。また、発射レール３９の上流端と遊技盤１６の誘導レールの下流端との間には前記ファール玉口４２が配置され、遊技領域２２に到達することなく誘導レールを逆走した打玉がファール玉口４２を介して誘導ボックス部材３８に導かれるようになっている。なお、誘導ボックス部材３８の上辺一側には、三角形状の発射玉誘導板４６が突設され、遊技盤１６の誘導レール下流端を走行する打玉が複層ガラス板１０に衝突しないように案内している。
【００２７】
前面枠３の前面開閉枠対応板部３ａの正面構造は、概ね上記した通りであるが、下皿対応板部３ｂにおいては、そのほぼ中央に余剰玉排出口４７が開設され、軸支側に灰皿用凹部４８が形成され、開放側に配線通し穴４９が形成されている。余剰玉排出口４７は、下皿７に余剰の賞球を払い出すための開口であり、灰皿用凹部４８は、灰皿８の回動動作が行えるようにするためのものであり、配線通し穴４９は、操作ハンドル９の内部に設けられる各種スイッチ類の配線を前面枠３の裏側に通すための開口である。
【００２８】
次に、外レール３０、内レール３１、及び発射レール３９について、図３及び図４（Ａ）（Ｂ）を参照して説明する。外レール３０、内レール３１、及び発射レール３９は、それぞれ導電性部材（実施形態中では、金属）からなり、外レール３０と発射レール３９との間には、各レール３０・３９を相互間で接続する導電性を有する金属接続片５０が設けられ、外レール３０と内レール３１との間には、各レール３０・３１を相互間で接続する導電性を有する金属接続片５１が設けられている。具体的に、外レール３０は、図３に示すように、ほぼＣ字状をなし、その下端部分は、前記発射玉誘導板４６の配置位置まで延びると共に、逆くの字状に折曲されて当接面部３０ａとして形成されている。この当接面部３０ａは、図４（Ａ）に示すように、遊技盤１６と前面枠３の支持板部３７との境界部分に配され、金属接続片５０の上部当接面部５０ａと当接される。金属接続片５０は、上下方向に延びる基部５０ｃと、該基部５０ｃの上端から左側に９０°強の角度で折曲される上部当接面部５０ａと、基部５０ｃの下端から右側に延設される下部当接面部５０ｂと、から構成されている。そして、金属接続片５０の下部当接面部５０ｂが発射レール３９の左端部分とビス５２で共締めされることで、外レール３０と発射レール３９とが金属接続片５０を介して接続される。
【００２９】
なお、外レール３０の当接面部３０ａは、遊技盤１６を前面枠３に取り付けた状態で水平方向に延びて配される。このため、金属接続片５０の基部５０ｃを垂直方向に沿って取り付けることで、基部５０ｃから９０°強の角度で折曲される上部当接面部５０ａが確実に当接面部３０ａと当接するようになっている。但し、金属接続片５０は、遊技盤１６を前面枠３に取り付ける前の段階で、予め前面枠３に取り付けられるようになっている。このため、外レール３０の当接面部３０ａと金属接続片５０の上部当接面部５０ａとは、遊技盤１６を前面枠３に取り付ける作業を行うことでこれと同時に当接されるようになっている。
【００３０】
一方、外レール３０の右側端部分は、前述したように内レール３１の右上端部分との繋ぎ部分が装飾部材３３によって被覆されるものであるが、その被覆部分には、図４（Ｂ）に示すように、各レール３０・３１を相互間で接続する金属接続片５１が設けられる。金属接続片５１は、金属片が断面コの字状に折曲されたものであり、その左右の折曲部分が各レール３０・３１との当接面部５１ａ・５１ｂとなる。そして、各レール３０・３１が対向する部分に金属接続片５１が介在されることで、外レール３０と当接面部５１ａとが当接される一方、内レール３１と当接面部５１ｂとが当接され、これによって外レール３０と内レール３１とが金属接続片５１を介して接続される。なお、外レール３０と内レール３１とは、それぞれ遊技盤１６面上で垂直に立設される。これに対して、金属接続片５１の当接面部５１ａ・５１ｂは、多少外側に傾いたハの字状に折曲形成される。このため、各レール３０・３１間に金属接続片５１を介在させることで、ハの字状に折曲された当接面部５１ａ・５１ｂが確実に各レール３０・３１と当接するようになっている。また、このような外レール３０と内レール３１との接続状態において、装飾部材３３は、その後面側（遊技盤１６面側）に形成された収容凹部３３ａ内に各レール３０・３１及び金属接続片５１を嵌合状態で収容固定する。これにより、金属接続片５１を介した各レール３０・３１間の接続部分が強固に固定でき、然もその接続部分を外部から保護できる。
【００３１】
しかして、上記した外レール３０、内レール３１、及び発射レール３９は、各金属接続片５０・５１を介して相互に接続されて電気的に導通した状態、言いかえれば同電位状態となる。また、発射レール３９の右側端部には、図３に示すように、アース線６０が接続されており、これによって各レール３０・３１・３９がアース（接地）される。但し、このようなアース線６０は、必ずしも設ける必要はない。また、内レール３１の左上端部分に取り付けられるバック玉防止部材３２には、後述する導電性を有する弾性薄片８３（実施形態中では、金属）が設けられ、その先端部分が外レール３０と接するようになっている。これにより、外レール３０と弾性薄片８３との電気的な導通が行われるようになっている。なお、後述するが、この弾性薄片８３は、内レール３１とも電気的に導通する。
【００３２】
そこで、バック玉防止部材３２の詳細な構成について、図５（Ａ）（Ｂ）を参照して説明する。遊技領域２２の構成は、概ね上記した構成であるが、更に遊技盤１６には、図５（Ａ）に示すように、内レール３１の左上端部の内側にバック玉防止部材３２を位置決め固定するための位置決め穴８０と止着穴８１とが形成されている。位置決め穴８０は、止着穴８１を挟んで２つ形成されている。位置決め穴８０と止着穴８１に取り付けられるバック玉防止部材３２は、図５（Ａ）（Ｂ）に示すように、遊技盤１６に取り付けられる取付ホルダー８２と、該取付ホルダー８２に装着される金属製の弾性薄片８３とから構成されている。
【００３３】
取付ホルダー８２は、前記内レール３１の幅（遊技盤１６からの高さ寸法）とほぼ同じ厚みを有する先端が尖った舟状の形状を有し、その中央に上下方向に貫通するビス穴８４が形成され、また、底面両端に下方に向かって位置決めボス８５が突設されている。しかして、この位置決めボス８５を前記位置決め穴８０に係合させることにより、一義的にバック玉防止部材３２の遊技盤１６への取付の正確性が確保されると共に、その取付の容易性も確保される。ただし、本実施形態においては、次に説明するように、レール係合部８６に形成されるレール係合溝８７と内レール３１の上辺縁との係合により、更にその正確性及び容易性が増加される。なお、前記ビス穴８４は、前記止着穴８１に対応するもので、ビス８８を自動機又はロボットで螺着することによりバック玉防止部材３２を遊技盤１６に固定するようになっている。
【００３４】
また、取付ホルダー８２の両側面は、一方が内レール３１の曲率に合致した緩やかな曲面８９（以下、この曲面をレール当接曲面８９という）であるのに対し、他方は、先端（上端）に向かうにしたがって曲率が大きくなる曲面９０（以下、この曲面を薄片当接曲面９０という）として構成されている。そして、レール当接曲面８９は、取付ホルダー８２のほぼ全長に亘って形成されているのに対し、薄片当接曲面９０は、その後端（下端）部よりに形成された切欠部９１によって終了している。
【００３５】
ところで、前記レール当接曲面８９の上面縁に沿ってレール係合溝８７が形成されたレール係合部８６が側方に向かって突設形成され、バック玉防止部材３２を遊技盤１６に止着する際に、該レール係合溝８７を内レール３１の上辺縁に嵌入することができるようになっている。これにより、バック玉防止部材３２の遊技盤１６への取付の正確性及び容易性が更に増加される。また、レール当接曲面８９の底面中央部に切欠凹部９２が形成されている。この切欠凹部９２は、内レール３１を遊技盤１６に止着して内レール３１の基部で左右に突出しているレール止めピン９３の頭部を収容するためのものであり、これによって、取付ホルダー８２を内レール３１に密着して取り付け得るようになっている。
【００３６】
一方、薄片当接曲面９０側の後端部には、前記したように切欠部９１が形成され、この切欠部９１に連続するように取付ホルダー８２の後端部に薄片装着空間９４が形成されている。この薄片装着空間９４は、図５（Ｂ）の裏返し図面に示されるように、ほぼＵ字状に形成されており、弾性薄片８３の後述する巻き部９５が密着して収納される形状となっている。また、薄片装着空間９４の中心には、ボス９６が突設され、装着された弾性薄片８３の抜け防止を図っている。なお、薄片当接曲面９０には、弾性薄片８３の幅とほぼ同じ距離を置いて上下に内側に向かってテーパー面が形成された規制突部（図示しない）を形成しても良い。この規制突部を形成することにより、装着された弾性薄片８３の上下方向のずれを防止することができると共に、弾性薄片８３が大きく振動してもテーパー面によって所定の位置に戻るようになっている。
【００３７】
上記した構成からなる取付ホルダー８２に装着される弾性薄片８３は、肉厚の薄い鋼製の薄板（厚さ約０．５ｍｍ）又は導電性合成樹脂製の薄板でほぼ長方形状に形成され、その基部が前記薄片装着空間９４の内部形状に沿ったＵ字状に曲折された巻き部９５となっている。したがって、この巻き部９５を取付ホルダー８２の裏面から前記薄片装着空間９４に挿入すると同時に前方部を前記切欠部９１から外に出して前記薄片当接局面９０に沿わせることにより、弾性薄片８３を取付ホルダー８２に装着することができる。このようにして、弾性薄片８３を装着した取付ホルダー８２を前述した止着方法で内レール３１の上端部に取り付けたときには、図５（Ａ）に示すように、弾性薄片８３の先端が外レール３０まで到達し（弾性薄片８３の先端が外レール３０と当接し）、遊技領域２２の入口部２２ａを閉塞した状態となる。
【００３８】
また、弾性薄片８３の取付ホルダー８２から突出した部分の底面側には、打玉の飛走方向に向かって先細りする台形状の誘導穴（図示しない）が形成されている。この誘導穴は、外レール３０と内レール３１の間を飛走する打玉であって、遊技盤１６面より若干浮き上がって飛走する打玉を捕捉して遊技盤１６面側に向けた安定した状態で遊技領域２２に放出する機能を有すると同時に、弾性薄片８３自体の弾性力を弱めて、打玉の勢いへの悪影響を抑制する機能をも有するものである。なお、誘導穴を弾性薄片８３のほぼ全長に亘って形成しても良い。
【００３９】
また、弾性薄片８３には、前記薄片当接局面９０との当接部分のほぼ中間部に接続片部９７が延設されている。この接続片部９７は、弾性薄片８３の本体部分から枝分かれして設けられると共にその基部がＬ字状に折曲されることで、取付ホルダー８２の前記レール係合溝８７まで延び、更にそのレール係合溝８７内に入り込むように上側に折曲されている。しかして、バック玉防止部材３２を遊技盤１６に止着する際、レール係合溝８７を内レール３１に嵌入することで、レール係合溝８７内に配された接続片部９７の先端部分が内レール３１と電気的に接続されるようになっている。
【００４０】
上記のように構成されるバック玉防止部材３２においては、まず、取付ホルダー８２に形成される位置決めボス８５を遊技盤１６の位置決め穴８０に係合させることにより、バック玉防止部材３２の遊技盤１６への取付の正確性及び容易性が確保されると共に、その位置決めにより自動機やロボットによる取付生産方式が可能となる。特に、本実施形態においては、上記位置決めボス８５だけによる位置決めだけでなく、レール止めピン９３と切欠凹部９２とによる位置決め、及び外レール３０の上辺縁とレール係合部８６のレール係合溝８７との係合による位置決めによって、上記した取付の正確性及び容易性の増進を図ることができる。
【００４１】
また、バック玉防止部材３２においては、弾性薄片８３が極めて薄い弾性板で形成されているので、打玉の遊技領域２２への飛走に及ぼす悪影響を大きく抑制することができる。特に、本実施形態における弾性薄片８３は、その基部を取付ホルダー８２の下端によって支持されているので、弾性薄片８３自体の移動できる長さが図５（Ａ）の破線に示すように長くなり、このため、弾性薄片８３を押し開くための慣性モーメントが小さくて済むので、打玉の勢いを弱める度合いを小さくすることとなり、上記した打玉への悪影響を更に抑制することができるようになっている。
【００４２】
以上のように、本実施形態の構成によれば、遊技盤１６に形成された遊技領域２２に遊技玉を発射するための発射レール３９と、該発射レール３９から発射された遊技玉を前記遊技領域２２へ誘導するための外レール３０と、該外レール３０と共に前記遊技領域２２を形成する内レール３１と、一旦前記遊技領域２２に侵入した玉が跳ね返りによって再度発射位置方向へ戻るバック玉を防止するためのバック玉防止部材３２と、を備えた弾球遊技機１において、前記バック玉防止部材３２は、導電性を有する玉接触部としての弾性薄片８３を備え、該弾性薄片８３と前記外レール３０とを導電性を有する外レール導電部材としての弾性薄片８３で電気的に接続したことを特徴とする。このように構成することにより、バック玉防止部材３２の玉接触部と外レール３０を同電位にすることができるので、遊技玉が外レール３０を通った後に弾性薄片８３を通過する際のノイズ発生を防止することができ、ひいてはノイズ発生に伴う制御回路基板（遊技制御基板など）の誤動作を防止することができる。なお、実施形態中では、弾性薄片８３（玉接触部）自体（先端）を外レール導電部材としてバック玉防止部材と外レールを直接的に接続する構成としているが、これに限らず、別途、バック玉防止部材と外レールとを電気的に接続するための外レール導電部材を設けてもよいし、外レール自体に接続部を一体的に設けて、バック玉防止部材の玉接触部と電気的に接続してもよい。なお、本実施形態では、接続片部９７、内レール３１、及び金属接続片５１で外レール導電部材をなしている。つまり、外レール導電部材は、複数のものから構成されてもよいし、単数のものでもよい。
【００４３】
また、前記弾性薄片８３と前記内レール３１とを導電性を有する内レール導電部材としての弾性薄片８３（接続片部９７）で電気的に接続したことを特徴とする。このように構成することにより、弾性薄片８３と内レール３１も同電位にすることができるので、遊技玉が弾性薄片８３から内レール３１に移る際でもノイズの発生を防止することができる。なお、実施形態中では、玉接触部自体を内レール導電部材としてバック玉防止部材と内レールを直接的に接続する構成としているが、これに限らず、別途、バック玉防止部材と内レールとを電気的に接続するための内レール導電部材を設けてもよい。また、内レール導電部材は、外レール導電部材と一体となった１つの部材で構成しよもよい。つまり、内レール導電部材は、複数のものから構成されてもよいし、単数のものでもよい。
【００４４】
次に、外レール３０と内レール３１との接続構成における変形例を図６を参照して説明する。変形例の構成では、図６に示すように、外レール３０と内レール３１とを電気的に接続する前記内外レール導電部材を、遊技盤１６に設けられる導電シート部材７２で構成している。この導電シート部材７２は、メッキされた合成樹脂のフィルムシートからなり、遊技盤１６と化粧板１６ａの間に介在された状態で遊技盤１６の全面に敷設されている。導電シート部材７２の取付方法は、化粧板１６ａを遊技盤１６の表面に取り付ける方法と同様に接着によって行われる。しかして、遊技盤１６の表面には、下から順に導電シート部材７２と化粧板１６ａが積層された状態で設けられる。そして、外レール３０と内レール３１を各取付ピン７０・７１によって遊技盤１６面上に植立する。これにより、外レール３０と内レール３１は、導電シート部材７２を介して電気的に接続される。即ち、前記外レール３０と前記内レール３１とを導電性を有する内外レール導電部材で電気的に接続すると共に、前記内外レール導電部材を前記遊技盤１６に設けられる導電シート部材７２で構成したことを特徴とする。このように構成することにより、外レール３０と内レール３１を遊技盤１６に取り付けるだけで簡単に外レール３０と内レール３１の電気的接続が行える。
【００４５】
また、上記した変形例の構成によれば、遊技盤１６面上に植立される各誘導釘も導電シート部材７２を介して外レール３０及び内レール３１と電気的に接続される。このため、誘導釘を誘導レール（外レール３０、内レール３１）乃至発射レール３９と同電位に設定することができる。なお、導電シート部材の形状や材質は、特に限定せず、金属メッシュの織物シート（布）などの導電性を有するシート部材であってもよい。また、変形例では、導電シート部材を化粧板と別体に設けているが、化粧板（主にセルロイドなどの合成樹脂などを用いる）に導電加工を施して導電性を持たせることで、化粧板に導電シート部材の機能を持たせるようにしてもよい。
【００４６】
また、上記した実施形態（変形例を含む）では、バック玉防止部材と発射レールとの電気的な接続を外レール乃至内レールを介して間接的に行っている。即ち、遊技盤１６に形成された遊技領域２２に遊技玉を発射するための発射レール３９と、該発射レール３９から発射された遊技玉を前記遊技領域２２へ誘導し、前記遊技領域２２を形成する誘導レールとしての外レール３０及び内レール３１と、一旦前記遊技領域２２に侵入した玉が跳ね返りによって再度発射位置方向へ戻るバック玉を防止するためのバック玉防止部材３２と、を備えた弾球遊技機１において、前記バック玉防止部材３２は、導電性を有する玉接触部としての弾性薄片８３を備え、該弾性薄片８３と前記発射レール３９とを導電性を有する発射レール導電部材で電気的に接続したことを特徴とする。このように構成することにより、バック玉防止部材３２の弾性薄片８３と発射レール３９を同電位にすることができるので、遊技玉が発射レール３９を通った後に弾性薄片８３を通過する際のノイズ発生を防止することができ、ひいてはノイズ発生に伴う制御回路基板（遊技制御基板など）の誤動作を防止することができる。なお、バック玉防止部材と発射レールとの電気的な接続を行う発射レール導電部材を設けて、バック玉防止部材と発射レールを直接的に電気接続してもよい。発射レール導電部材は、玉接触部あるいは発射レールと一体的なものでもいいし、逆に別体として設けたものであってもよい。また、誘導レールは、外レールと内レートに分れた構成に限らず、１本のレールから構成されたものであってもよい。
【００４７】
また、前記弾性薄片８３と前記誘導レール（外レール３０、内レール３１）とを導電性を有する誘導レール導電部材としての弾性薄片８３で電気的に接続したことを特徴とする。このように構成することにより、弾性薄片８３と誘導レール（外レール３０、内レール３１）も同電位にすることができるので、発射レール３９、誘導レール（外レール３０、内レール３１）、及びバック玉防止部材３２からなる一連の玉の発射経路を全て同電位にすることで、弾性薄片８３を通過する際のノイズ発生を確実に防止することができる。なお、実施形態中では、玉接触部自体を誘導レール導電部材としてバック玉防止部材と誘導レール（外レール、内レール）を直接的に接続する構成としているが、これに限らず、別途、バック玉防止部材と誘導レールとを電気的に接続するための誘導レール導電部材を設けてもよい。
【００４８】
また、上記した実施形態（変形例を含む）では、発射レールを介してバック玉防止部材を接地する構成としている。即ち、遊技盤１６に形成された遊技領域２２に侵入した玉が跳ね返りによって再度発射位置方向へ戻るバック玉を防止するためのバック玉防止部材３２を備えた弾球遊技機１において、前記バック玉防止部材３２は、導電性を有する玉接触部としての弾性薄片８３を備え、該弾性薄片８３を接地導電部材で接地したことを特徴とする。このように構成することにより、バック玉防止部材３２の弾性薄片８３を接地するので、遊技玉が弾性薄片８３に接触する際等に静電気が弾性薄片８３から吸収されていくことで、ノイズ発生を防止することができ、ひいてはノイズ発生に伴う制御回路基板（遊技制御基板など）の誤動作を防止することができる。
【００４９】
なお、バック玉防止部材を直接的に接地してもよい。外レール導電部材、内レール導電部材、内外レール導電部材、発射レール導電部材、及び誘導レール導電部材を接続線（導線）で構成してもよい。この場合、接続線の両端における接続部分としては、ビス止め用の金具を一体的に設けてもよいし、あるいはコネクタを設けるようにしてもよい。但し、コネクタを設けた場合には、バック玉防止部材、誘導レール（外レール、内レール）乃至発射レール側にも接続用のコネクタを設ける必要がある。さらには、外レール導電部材、内レール導電部材、内外レール導電部材、発射レール導電部材、及び誘導レール導電部材は、金属製のものに限定せず、導電性を有する合成樹脂などでもよい。即ち、外レール導電部材、内レール導電部材、内外レール導電部材、発射レール導電部材、及び誘導レール導電部材は、導電性を有するものであればいずれの構成であってもよい。例えば、金属製のアウト口飾りで、バック玉防止部材、内レール、外レール、及び発射レールをそれぞれ導通させるようにする等して、外レール導電部材、内レール導電部材、内外レール導電部材、発射レール導電部材、及び誘導レール導電部材を１つの導電部材で構成してもよい。また、打球発射装置の打球槌を、バック玉防止部材、誘導レール（外レール、内レール）乃至発射レールと電気的に接続するようにしてもよい。また、打球発射装置の構成については特に限定しない。例えば、駆動源はモータに限定せず、ソレノイドで構成したり、あるいは磁気力で誘導するリニア式のように直接的に玉を弾発せずに玉を発射するものであってもよい。
【００５０】
また、バック玉防止部材の全てを導電性を有する導電部材で構成してもよい。さらには、バック玉防止部材の構成は、可撓するものに限らず、回転軸支された玉接触部が回動するもの等でもよいし、内レールと一体化した（溶接した等）可撓部材で構成する等でもよく、玉が戻らないように防げる構成であればよい。
【００５１】
また、以上説明した実施形態から把握できる発明として以下のものがある。
（１）遊技盤に形成された遊技領域に遊技玉を発射するための発射レールと、該発射レールから発射された遊技玉を前記遊技領域へ誘導するための外レールと、該外レールと共に前記遊技領域を形成する内レールと、一旦前記遊技領域に侵入した玉が跳ね返りによって再度発射位置方向へ戻るバック玉を防止するためのバック玉防止部材と、を備えた弾球遊技機において、前記バック玉防止部材は、導電性を有する玉接触部を備え、該玉接触部と前記外レールとを導電性を有する外レール導電部材で電気的に接続すると共に、前記玉接触部と前記発射レールとを導電性を有する発射レール導電部材で電気的に接続し、前記玉接触部を接地導電部材で接地したことを特徴とする。このように構成することにより、バック玉防止部材の玉接触部と外レールと発射レールを同電位にすることができ、然もバック玉防止部材の玉接触部を接地することができるので、遊技玉が玉接触部を通過する際のノイズ発生を防止することができ、ひいてはノイズ発生に伴う制御回路基板の誤動作を防止することができる。
【符号の説明】
【００５２】
１  弾球遊技機
２  外枠
１６  遊技盤
１６ａ  化粧板
２２  遊技領域
２４  打球発射装置
２６  賞球払出装置
２８  遊技制御基板ボックス
３０  外レール
３０ａ  当接面部
３１  内レール
３２  バック玉防止部材
３９  発射レール
４０  機構板
５０・５１  金属接続片
６０  アース線
７２  導電シート部材
８２  取付ホルダー
８３  弾性薄片（玉接触部）
８７  レール係合溝
９７  接続片部
【図１】
2011083641.tif 000003
【図２】
2011083641.tif 000004
【図３】
2011083641.tif 000005
【図４】
2011083641.tif 000006
【図５】
2011083641.tif 000007
【図６】
2011083641.tif 000008